(57)【特許請求の範囲】
【請求項１】
間隙を有して相対移動する部品間の前記一方の部品に取付けられて前記他方の部品との間をシールする板ブラシシールであって、前記一方の部品に取り付けられる積層基部を有すると共に前記他方の部品側に細梁のブラシ部分とスリットとが交互に配列されたブラシを有するブラシシール単板を備え、前記ブラシシール単板の前記ブラシの自由端部側に、前記ブラシ部分の前記スリット側の側面が対向する側面と互いに密接状態に密接し接面するように当該ブラシ部分が湾曲に曲げられた密接ブラシ部分を有することを特徴とする板ブラシシール。
【請求項２】
前記ブラシに有するブラシ部分が断面略方形状を成して前記積層基部から１方向へ傾斜していると共に前記密接ブラシ部の密接ブラシ部分が湾曲状に曲げられていることを特徴とする請求項１に記載の板ブラシシール。
【請求項３】
前記ブラシに有するブラシ部分が断面方形状を成して径方向を成すと共に前記密接ブラシ部の密接ブラシ部分が１方へ曲げられていることを特徴とする請求項１に記載の板ブラシシール。
【請求項４】
前記密接ブラシ部分は、前記ブラシ部分を塑性変形した後、熱処理をして応力を除去することにより形成されることを特徴とする請求項１〜３のいずれかに記載の板ブラシシール。
【請求項５】
請求項１〜３のいずれかに記載の板ブラシシールの製造方法であって、前記密接ブラシ部分は、前記ブラシ部分を塑性変形した後、熱処理をして応力を除去することにより形成されることを特徴とする板ブラシシールの製造方法。
【発明の詳細な説明】
【０００１】
【発明の属する技術分野】
本発明は、１方の軸と相対変位する他方の相対部品との間をシールする板ブラシシールに関する。
更に詳しくは、例えば、航空機、ガスタービン等の回転軸と相対変位する相対部品との間をシールする板ブラシシールに係わるものである。
【０００２】
【従来技術】
本発明に関する関連技術には、図９に示すブラシシール装置１００が存在する。
図９は、回転軸１２０が貫通するケーシング１１０との間に取り付けられたブラシシール装置１００の断面図である。このケーシング１１０は、蒸気タービンやガスタービン等の固定側の部品となるものである。そして、ブラシシール装置１００はケーシング１１０に取り付けられて回転軸１２０との間を仕切って被密封流体をシールしている。
【０００３】
図９において、ブラシシール装置１００は、リング状に形成されて、ケーシング１１０の取付溝部１１２に取り付けられる。このブラシシール装置１００の必須な構成は、ブラシシール１０９と背板１０２と支持板１０３である。このブラシシール１０９は、剛毛１０１が円周に沿ってある厚さに集合して壁状に配列されており、一端部が結合されて取付部１０４に形成されている。又、ブラシシール１０９の自由端面１０５は回転軸１２０に対向して配置される。この剛毛１０１の線径は、一般に、０．０２ｍｍから０．５ｍｍのものが用いられている。そして、その本数は何万、何十万本となる。
【０００４】
このブラシシール１０９の側面には、環状に形成された背板１０２が側面１０８をブラシシール１０９と接触状態にして配置されおり、この背板１０２は被密封流体の圧力を受けて剛毛１０１が変形しないように支持している。
又、ブラシシール１０９の他方の面には、保持板１０３がリング板に形成されて背板１０２との間でブラシシール１０９の取付部１０４側を狭持している。この保持板１０３は、ブラシシール１０９の自由端側が弾性変形しやすいように径方向の幅が狭くされてブラシシール１０９を被密封流体側に露出させている。
そして、背板１０２とブラシシール１０９の取付部１０４と保持板１０３とは、一端が溶接されて結合部１０６に形成されている。
【０００５】
図９の直線状の剛毛１０１は、回転軸１２０の径方向に対して回転軸１２０の回転する方向へ傾斜している。このブラシシール１０９の正常状態は、図９の実線で示すように回転軸１２０が自由端面１０５に接触又は近接している。
【０００６】
又、ブラシシール１０９は、剛毛１０１がある厚さの束にされて周方向に沿って配列されている。そして、ブラシシール１０９の自由端面１０５は、回転軸に嵌合するようにワイヤ放電加工などにより精密仕上げ加工されている。しかし、剛毛１０１は変形しやすいので、この精密加工が極めて困難になっている。
【０００７】
上述のごとく構成されたブラシシール装置１００は、回転軸１２０が振動や揺動などにより、ブラシシール１０９に接触すると、ブラシシール１０９は、回転軸１２０と圧接された状態になりながら回転方向へ傾斜した傾斜角度も増加する。
この状態で、被密封流体の圧力が高圧Ｐ１の場合には、低圧Ｐ２との差圧（Ｐ１−Ｐ２）が大きくなるから、ブラシシール１０９の直線状の剛毛１０１は、弾性変形して曲がり、各剛毛１０１間にランダムな間隙が生じることになる。
【０００８】
図１１は、図１０のブラシシール１０９の内径側自由端面１０５から見た正面図である。
この図１１に於いて、直線状の剛毛１０１間に被密封流体が侵入すると内周面側から見て束ねられた各剛毛１０１は、元々束ねられた剛毛１０１間に被密封流体の圧力が作用すると間隙が生じるように成るから、剛毛１０１間の間隙が図１１に示すように被密封流体により押し分けられて大きな間隙となるので、この分けられた間隙から被密封流体が漏洩することになる。
この作用は、更に、傾斜した状態の剛毛１０１が圧力により分けられると、分けられた一方側が、設定された傾斜角度よりも小さくするように変位しようとするので、剛毛１０１の先端部は、回転軸１２０とますます接触状態を強めるから圧接力を更に増加させて摩耗することになる。
この剛毛１０１の自由端面１０５が摩耗すると、この摩耗した自由端面１０５と回転軸１２０との間から被密封流体が漏洩することになる。
【０００９】
又、この様な状態で、回転軸１２０が揺動すると、ブラシシール１０１の回転軸１２０に圧接した位置に対して軸心を通り径方向反対側は、剛毛１０１の自由端面１０５と回転軸１２０との隙間Ｃが大きくなるので、この間隙Ｃから被密封流体の漏れが惹起する。
このように、剛毛１０１による被密封流体のシール能力及び相手部品との摩擦による摩耗には、解決しなければならない問題が存在する。
【００１０】
【発明が解決しようとする課題】
本発明は、上述のような問題点に鑑み成されたものであって、その技術的課題は、ブラシシールに可撓性を付与すると共に、シール能力を向上させることにある。
更に、対向する１方の部品からの当接に対するブラシシールの弾性変形能力を向上させると共に、被密封流体に対するシール能力を向上させ、且つブラシシールが対向する１方の部品により摩耗させられるのを低減することにある。
又、ブラシシールの対向する１方の部品との接触力と変動に対応する追随性を良好にし、動力のエネルギーを低減すると共に、１方の部品の変動に対してもシール能力を向上させることにある。
【００１１】
【課題を解決するための手段】
本発明は上述のような課題を解決するために成されたものであって、その課題を解決するための技術的手段は以下のように構成されている。
【００１２】
請求項１に係わる本発明の板ブラシシールは、間隙を有して相対移動する部品間の一方の部品に取付けられて他方の部品との間をシールする板ブラシシールであって、前記一方の部品に取り付けられる積層基部を有すると共に前記他方の部品側に細梁のブラシ部分とスリットとが交互に配列されたブラシ部を有する板ブラシシールを備え、前記ブラシ部のブラシ部分の自由端部側が互いのスリット側の側面を接面するように曲げられた密接ブラシ部を有するするものである。
【００１３】
この請求項１に係わる本発明の板ブラシシールでは、前記ブラシ部の自由端部側に互いのスリット側の側面が接面するように曲げられた密接ブラシ部を有するので、ブラシ部分を形成するためにスリットが設けられていても、スリットによる隙間をなくすことが可能になる。このため密接するブラシ部分により被密封流体をシールする効果が飛躍的に向上する。
更に、ブラシ部の自由端部側に曲げられた密接ブラシ部が設けられているのでこの密接ブラシ部を形成するための曲げ部により径方向への弾性変形力が付与され、他方の部品がブラシ部の自由端部に当接しても弾性変形して摩擦が和らげられ、摩耗するのが効果的に防止される。
【００１４】
請求項２に係わる本発明の板ブラシシールは、前記ブラシ部のブラシ部分が断面で方形状を成して前記積層基部から１方向へ傾斜していると共に、前記密接ブラシ部の密接ブラシ部分が湾曲状に曲げられているものである。
【００１５】
この請求項２に係わる本発明の板ブラシシールでは、前記ブラシ部のブラシ部分が１方向へ傾斜していると共に、前記密接ブラシ部の密接ブラシ部分が湾曲状に曲げられているものである。このために、密接ブラシ部の密接ブラシ部分がスリット側の側面を全面接合するようにし、被密封流体を板状に仕切るのでシール効果が向上する。
しかも、ブラシ部の自由端部側には湾曲に形成された密接ブラシ部が設けられているので、湾曲により他方の部品との当接に対して弾性的に柔らく接触し、摩擦による摩耗が効果的に防止される。
【００１６】
請求項３に係わる本発明の板ブラシシールは、前記ブラシ部のブラシ部分が径方向を成すと共に前記密接ブラシ部の密接ブラシ部分の付け根が１方へ折曲げられて自由端部のスリット側の側面が互いに接面状態に形成されているものである。
【００１７】
この請求項３に係わる本発明のブラシシールでは、ブラシ部のブラシ部分が径方向を成すと共に、密接ブラシの密接ブラシ部分が１方へ折曲げられて自由端部側のスリット形成面が互いに接面状態に保持されているので、各ブラシ部分間に隙間が少なくなり、シール効果が発揮される。
更に、密接ブラシ部の密接ブラシ部分が他方の部品と当接しても折曲げによる弾性変形力の付与により弾性変形するので、可撓性を有し、ブラシ部分が摩耗や損傷されるのを効果的に防止する。
そして、ブラシ部分は、径方向へ細梁に形成されているので、加工上、スリットの間隔も微小な間隔に形成することが可能になる。このために、ブラシ部分の細梁の形状も全体が同一幅の断面に形成できるので、被密封流体の圧力に応じて細梁の幅も任意に設計することが可能になり、シール能力を向上させた設計が可能になる。
【００１８】
【発明の実施の形態】
以下、本発明に係わる実施の形態についての板ブラシシールを図面に基づいて詳述する。尚、以下の図面は特許図面としての概念図ではなく、設計図である。
【００１９】
図１は、ガスタービンのケーシング５０の孔にロータ６０が嵌通した両部品間の間隙を高圧Ｐ１側と低圧Ｐ２側とに仕切るための第１実施の形態の板ブラシシール２装置１の平面図である。
又、図２は、図１に示す薄板から成るブラシシール単板４を連結形成するブラシシール単板分割片７の平面図である。
図３は、本発明に係わる第１実施例を示すブラシシール単板分割片４の斜視図である。更に、図４は、本発明に係わる第２実施例を示すブラシシール単板４の平面図である。図５は、本発明に係わる第３実施例の密接ブラシ部２Ａ１の平面図である。図６は、本発明に係わる第４実施例の密接ブラシ部２Ａ１の平面図である。
図７と図８は、本発明に係わる第１実施の形態のブラシシール単板４の密接ブラシ部を製造する方法の平面図である。
【００２０】
図１において、２は板ブラシシールである。この部品の板ブラシシール２を図９に示すように機械装置に組み込んだのが板ブラシシール装置１とする。この板ブラシシール２は、板ブラシシール装置１のシール機能として重要な構成部品となるものである。そして、一方の部品であるケーシング５０の内周面に設けられた段部にスナップリングを介して板ブラシシール２は取り付けられる。又、板ブラシシール２の内周側の自由端部５は他方の部品であるロータ（以下、回転軸とも言う）６０の外周面と対向して接面又は近接した状態に配置されている。この板ブラシシール２により高圧Ｐ１側の被密封流体はシールされる。
【００２１】
図１に於いては、ブラシシール単板４を積層して両側に背板部６と保持部１０とを取り付けた構成から板ブラシシール２が成りたっている。この背板部６及び保持部１０は板ブラシシール２の補助部品であり、板ブラシシール２は、背板部６及び保持部１０を付けない場合も含む。従って、背板部６及び保持部１０を含むと含まないとに関係なく、積層基部２Ｂの外周部を溶接等で固着して取付部３を構成する。
この板ブラシシール２は、一般に、ブラシシール単板４の複数枚の積層構造であるが、シール構造に応じて被密封流体の圧力が小さいときは、１枚構造でもシール機能を発揮する。
【００２２】
この板ブラシシール２は、ブラシシール単板４を積層状態に配置し、設定された厚さの環状体に形成されている。そして、板ブラシシール２の環状を成す内周側がロータ６０の回転方向へ傾斜した列状の細梁によりブラシ部２Ａを構成している。又、板ブラシシール２の外周の積層基部２Ｂを積層して溶接やビス等により固着して板ブラシシール２に取付部２Ａを設ける。
【００２３】
ブラシシール単板４は、ブラシ４Ａと基部４Ｂとから構成されている。ブラシ４Ａは、環状の薄板の内周が並列に形成されたスリット４Ａ２によりスリット４Ａ２間が各々細梁状のブラシ部分４Ａ１に形成されたものである。この細梁のブラシ部分４Ａ１は、断面が長方形状又は正方形状に形成されている。
このブラシ部分４Ａ１とスリット４Ａ２との全体形状は、板方向の自由端部５へ１列の凹凸に形成されている。又、外周は板状の基部４Ｂに形成されている。
【００２４】
ブラシシール単板４は、ブラシシール単板４を等配に分割されたブラシシール単板分割片７の係合部１２を連結して環状に形成される。
図２は、図１に示すブラシシール単板分割片７の平面図である。
ブラシシール単板分割片７は前述したようにブラシ４Ａと基部４Ｂから構成されており、基部４Ｂの分割側の両端の１方には凹部１２Ａが形成されていると共に、他方には凸部１２Ｂが形成されている。この凹部１２Ａと凸部１２Ｂにより連結した係合部１２に構成される。
【００２５】
ブラシシール単板分割片７は、基部２Ｂと反対の内周側がブラシ４に形成されている。ブラシ４は、ブラシ部分４Ａ１とスリット４Ａ２とが交互に配列されている。そして、ブラシ４の自由端部５側の密接ブラシ部分４Ａ３は、ロータ６０の回転方向へ湾曲に曲げられてスリット４Ａ２側の側面が対向する側面と接面している。このために密接ブラシ部２Ａ１は板状に形成されて被密封流体をシールする。
【００２６】
このブラシシール単板分割片７は、図１に示すように、係合部１２を連結してリング板状のブラシシール単板４Ａに形成される〔後述する図４のようなリング状のブラシシール単板４に形成される）。
このブラシシール単板４Ａを積層して外周部に積層基部２Ｂを形成する。又、内周部はブラシ部２Ａに形成される。このブラシ部２Ａの内周には密接ブラシ部２Ａ１が形成されている。この密接ブラシ部２Ａ１は、密接ブラシ部分４Ａ３の集合体である。そして、密接ブラシ部分４Ａ３のスリット４Ａ２側の側面は互いに密接状態に密接している。
【００２７】
図１では、ブラシシール単板４を６、８、１０、１２、１４層にした実施例が存在して両側からリング状を成す背板部６と保持板１０により挟持し、図１に示す板ブラシシール２を形成する。この背板部６は内径を点線で示すようにブラシシール単板４Ａの背面にブラシシール単板４Ａの側面に接して配置されている。又、保持板１０は、図示では１部を示すように正面側に積層基部２Ｂを挟持するように配置されている。
そして、背板部６の内周側は密接ブラシ部２Ａ１の密接ブラシ部分４Ａ３が密接して被密封流体を仕切っているから、シール能力が向上する。図１においては、背板部６と保持板１０を含めて外周側が溶接により固着されて取付部３を形成している。
【００２８】
その結果、密接ブラシ部２Ａは、自由端部５側が密接ブラシ部分４Ａ１の接合状態が密になるから被密封流体を仕切るシール能力が向上する。反対に、ブラシ部２Ａの積層基部２Ｂ側はブラシ部分４Ａ１の接合状態が疎であるから、弾性変形能力が付与される。このために、ブラシ部２Ａのシールする密接ブラシ部２Ａ１は、密なる構成によりシール能力が向上すると共に、この自由端部５側のシールする密接ブラシ部２Ａ１を保持する積層基部２Ｂ側が疎なる構成により弾性変形能力を付与されて可撓性が発揮される。
【００２９】
図３に示すブラシシール単板分割片７は、本発明に係わる第１実施例である。このブラシシール単板分割片７は、内周側がブラシ４Ａに形成されていると共に、外周側が基部４Ｂに形成されている。ブラシ４Ａはブラシ部分４Ａ１を形成するためのスリット４Ａ２とブラシ部分４Ａ１とが交互に配列している。
このブラシ４Ａの自由端部５側は、ブラシ４Ａの全長の２／３位が密接ブラシ部２Ａ１に形成されている。この密接ブラシ部２Ａ１を構成する密接ブラシ部分４Ａ３は、点線で示すように傾斜したブラシ部分４Ａ１の自由端部５側を円弧状に塑性変形して密接ブラシ部分４Ａ３に形成したものである。このブラシ部分４Ａ１は、塑性変形前は直線に傾斜して先端が曲げられる前の自由端部５Ａに形成されているが、このブラシ部分４Ａ１の全長の自由端部５側の２／３位を塑性変形した後に熱処理して応力を除去し、密接ブラシ部分４Ａ３に製作する。
【００３０】
密接ブラシ部分４Ａ３の根本側はＸ°に傾斜した後に円弧状に形成されている。そして、この円弧状に曲げられることにより密接ブラシ部分４Ａ３のスリット４Ａ２側の側面が互いに密接する状態に接合している。
このブラシ４Ａの自由端部５の内径は、製作の途中の自由端部５Ａの内径がＲＡであるが、ブラシ部分４Ａ１が曲げられて密接ブラシ部２Ａ１に形成されると内径がＲに拡大する。この密接ブラシ部２Ａ１の内径は、ロータ６０の径と嵌合する関係から、ロータ６０の径を考慮して設計する。尚、図２及び図３に示す板ブラシシール単板分割片７は、薄板からエッチング加工、ワイヤー放電加工、レーザ加工、電子ビーム加工等の微細加工により容易に製作される。
【００３１】
図４は、本発明に係わる第２実施例のブラシシール単板４の平面図である。
このブラシシール単板４は薄板からエッチング加工、ワイヤー放電加工、レーザ加工、電子ビーム加工等の微細加工によりリング板に製作されたものでる。
このブラシシール単板４は、円環状の薄板の内周側がブラシ部分４Ａ１とスリット４Ａ２とに成るように交互に形成されている。このブラシ部分４Ａ１とスリット４Ａ２とは、ロータ６０の回転方向へ傾斜していると共に、ブラシ部分４Ａ１は、断面が方形の細梁に形成されている。そして、ブラシシール単板４の外周側には、基部４Ｂに形成されていると共に、内周側にブラシ部分４Ａ１とスリット４Ａ２とから成るブラシ４Ａに形成されている。
【００３２】
更に、このブラシ４Ａのブラシ部分４Ａ１の自由端５側は、更にロータ６０の回転方向へ折曲げられて密接ブラシ部分４Ａ３に形成されている。この密接ブラシ部分４Ａ３のスリット側の側面は各密接ブラシ部分４Ａ３が互いに密接状態に接合している。そして、密接ブラシ部分４Ａ３の集合体が密接ブラシ部２Ａ１となる。
【００３３】
このブラシシール単板４を積層して外周部に積層基部２Ｂを形成すると共に、内周部にブラシ部２Ａを形成する。更に、この板ブラシシール２には、図１に示すように、両側から背板部６と保持板１０とを接合して板ブラシシール２に構成する。この背板部６と保持板１０とを接合することなく板ブラシシール２を形成することもできる。
【００３４】
上述した各実施例のブラシシール単板４の積層厚さは０．５〜５ｍｍの範囲にされているが、この積層厚さは、被密封流体の圧力により決められるものである。
更に、ブラシシール単板４の材質は、鋼、ステンレス、ニッケル基の合金、セラミック材等が用いられる。
【００３５】
図５は、本発明の第３実施例を示す密接ブラシ２Ａ１の１部の拡大正面図である。この密接ブラシ部２Ａ１の密接ブラシ部分４Ａ３は、ブラシ部分４Ａ３の自由端部５側が曲がられた１部を示すものである。そして、ブラシ４Ａは、ブラシ部分４Ａ１とスリット４Ａ２とが列方向へ交互に配列されている。
この密接ブラシ部２Ａ１を構成する密接ブラシ部分４Ａ３は、１方向へ曲げられることにより、自由端部５側が密接ブラシ部分４Ａ３を互いに接合させてスリット４Ａ２がなくなる状態から積層基部２Ｂ側に向かって徐々に隙間が生じるように形成されている。
【００３６】
又、ブラシ部分４Ａ１の側面幅は全体が同一幅に形成されている。そして、自由端部５側の密接ブラシ部分４Ａ３の側面がスリット４Ａ２がなくなるように接合してシール効果を向上させている。更に、密接ブラシ部２Ａ１の内周面はロータ６０の外周面に接合するように円形面に形成されてロータ６０に密接できるように形成されている。このために、自由端部５とロータ６０との隙間が小さくすることができ、シール効果を向上させることが可能になる。
【００３７】
図６は、本発明の第４実施例を示す密接ブラシ部２Ａ１の１部の拡大正面図である。
図６の密接ブラシ部２Ａ１を設けたブラシシール単板４は、図５に示すブラシシール単板４と略同一に構成されている。しかし、図５のブラシシール単板４と相違する点は、ブラシ４Ａのブラシ部分４Ａ１が曲げられる前の自由端部５Ａを折曲げて密接ブラシ部分４Ａ３に形成されているものである。又、ブラシ部分４Ａ１の自由端部５は加工上の理由によりロータ６０の外周面間に三角状の間隙が形成される。しかし、この図６は、拡大図であるからシール能力的には問題にならない。
【００３８】
図７と図８は、ブラシシール単板４に密接ブラシ部分４Ａ３を形成して密接ブラシ部２Ａ１に構成する製造方法を示す正面図である。図７は、ブラシ部分４Ａ１が傾斜した形状の途中製造工程を示す正面図である。又、図８は、ブラシシール単板４に密接ブラシ部２Ａ１を形成した製造方法を示すものである。
【００３９】
図７はブラシシール単板４の曲げられる前の自由端部５Ａに円筒状の金型を圧接する状態である。ブラシシール単板４の材質は、鋼、ステンレス、ニッケル基の合金、セラミック材等が用いられる。このブラシシール単板４は、この材質の薄板からエッチング加工、ワイヤー放電加工、レーザ加工、電子ビーム加工等の微細加工により設計された形状のリング板に製作されたものでる。その形状は、例えば、図４に示すようなブラシシール単板４である。
そして、円筒状の金型を低速で回転させながら、又は、回転させることなくブラシシール単板４のブラシ４Ａに圧接する。そして、図８のようにブラシ４Ａの自由端部５Ａ側を図３に示すように湾曲状に変形させる。このとき、ブラシシール単板４は、図示省略した２枚の金型板で両側から挟持されている。このブラシシール単板４を焼鈍熱処理して密接ブラシ部分４Ａ３の応力を除去する。
【００４０】
この密接ブラシ部分４Ａ３の加工は密接ブラシ部分４Ａ３のスリット４Ａ２側側面が接合するまで湾曲状に曲げ加工をする。この曲げ変形加工は、湾曲状に曲げ加工する場合と、円形状に曲げる場合と、折曲げる場合と、シール能力を条件に応じて種々の設計が成される。尚、ブラシ４Ａは、密接ブラシ部分４Ａ３に加工する工程で密接ブラシ部２Ａ１の内径がＲＡからＲに拡大する。この加工寸法は設計時に計算して設定される。
【００４１】
そして、ブラシ４Ａを加工するためには、スリット４Ａ２が形成されるが、このスリット４Ａ２を自由端部５側のシールする箇所では消滅させ、間隙をなくす必要である。同時に、基部２Ｂ側は、スリット４Ａ２の間隙を生かしてブラシ４Ａに弾性変形能力を付与する必要がある。
この板ブラシシール２は、シール能力と、ロータ６０との当接に対して摩耗を防止する能力とを本発明の密接ブラシ部２Ａ１により効果的に解決するものである。
【００４２】
【発明の効果】
本発明に係わる板ブラシシールによれば、ブラシのブラシ部分の自由端部側に互いのスリット側の側面が接面するように曲げられた密接ブラシ部分が設けられているので、ブラシ部分を形成するときにスリットが設けられていても、密接ブラシ部に形成するときにスリットによる隙間がなくなるので、シール効果が飛躍的に向上させる効果を奏する。
更に、ブラシ部の積層基部側に微小な間隙のスリットが生かされているので、径方向への弾性変形能力を付与し、他方の部品がブラシ部の自由端部に当接しても摩擦が和らげられて摩耗されるのを効果的に防止する。又、密接ブラシ部を形成するためには密接ブラシ部分の根本が曲げられている。この曲がられた部分が弾性力を発揮し、ブラシ部にロータが当接しても摩擦を低減し、更に摩耗が防止される効果を奏する。
【図面の簡単な説明】
【図１】本発明に係わる第１実施の形態を示す板ブラシシールの正面図である。
【図２】図１に示すブラシシール単板分割片の平面図である。
【図３】本発明に係わる第１実施例を示すブラシシール単板分割片の正面図である。
【図４】本発明に係わる第２実施例を示すブラシシール単板の正面図である。
【図５】本発明に係わる第３実施例を示す密接ブラシ部の正面図である。
【図６】本発明に係わる第４実施例を示す密接ブラシ部の正面図である。
【図７】ブラシシール単板の製造工程の途中工程を示す１部正面図である。
【図８】図７に状態から密接ブラシ部を製作した１部正面図である。
【図９】従来のブラシシール装置の半断面図である。
【図１０】図９のブラシシール装置の内径から剛毛の自由端面を見た斜視図である。
【図１１】図９に示すブラシシール装置に被密封流体が作用した状態の内周から剛毛を見た平面図である。
【符号の説明】
１  板ブラシシール装置
２  板ブラシシール
２Ａ  ブラシ部
２Ａ１  密接ブラシ部
２Ｂ  積層基部
３  取付部
４  ブラシシール単板
４Ａ  ブラシ
４Ａ１  ブラシ部分
４Ａ２  スリット
４Ａ３  密接ブラシ部分
４Ｂ  基部
５  自由端部
６  背板部
７  ブラシシール単板分割片
８  金型
１０  保持部
１２  係合部
１２Ａ  凹部
１２Ｂ  凸部
５０  一方の部品（ケーシング）
６０  他方の部品（ロータ）
【図１】
0004227361.tif 000002
【図２】
0004227361.tif 000003
【図３】
0004227361.tif 000004
【図４】
0004227361.tif 000005
【図５】
0004227361.tif 000006
【図６】
0004227361.tif 000007
【図７】
0004227361.tif 000008
【図８】
0004227361.tif 000009
【図９】
0004227361.tif 000010
【図１０】
0004227361.tif 000011
【図１１】
0004227361.tif 000012